【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
自社線内の発駅と他社線内の着駅を指示する指示手段、この指示手段により指示された自社線内の発駅と他社線内の着駅までの区間の定期乗車を許可する連絡定期券を含む所定の定期券を発行する発行手段を有して構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に所望の形態で割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段と
を具備することを特徴とする定期券発行装置。
【請求項２】
自社線内の発駅と他社線内の着駅を指示する指示手段、この指示手段により指示された自社線内の発駅と他社線内の着駅までの区間の定期乗車を許可する連絡定期券を含む所定の定期券を発行する発行手段を有して構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、  前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置。
【請求項３】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、  前記他社線着駅情報登録モード設定手段は、他社線着駅情報登録カードを使用すると共に、
前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置。
【請求項４】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、  前記他社線着駅情報登録モード設定手段は、他社線着駅情報登録カードを係員バッヂカード挿入口を利用して挿入すると共に、
前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置。
【請求項５】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、  前記定期券発行装置の駅名釦部は、可変表示装置としてのソフトキーになっていると共に、
前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置。
【請求項６】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置において、
予め、他社線着駅情報を登録する他社線着駅情報登録モードに設定する他社線着駅情報登録モード設定手段と、
前記他社線着駅情報登録モード設定手段による他社線着駅情報登録モードの設定に応じて他社線着駅情報の登録画面を表示する他社線着駅情報登録画面表示手段と、
前記他社線着駅情報登録画面表示手段によって表示される他社線着駅情報登録画面に基づいて、他社線着駅を登録したい各釦に割り付ける他社線着駅登録釦割り付け手段と、
前記他社線着駅登録釦割り付け手段による他社線着駅を登録したい各釦に割り付け後に、登録を実行する登録実行手段と、
前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、  前記定期券発行装置では、自社線と連絡可能な他社線の全ての着駅情報を登録することができると共に、
前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置。
【請求項７】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置の制御方法において、
予め、他社線着駅情報を登録する他社線着駅情報登録モードに設定するステップと、
前記他社線着駅情報登録モードの設定に応じて他社線着駅情報の登録画面を表示するステップと、
前記表示される他社線着駅情報登録画面に基づいて、他社線着駅を登録したい各釦に所望の形態で割り付けるステップと、
前記他社線着駅を登録したい各釦に割り付け後に、登録を実行するステップと、
前記登録実行後に、前記他社線着駅情報登録モードの設定を解除して前記連絡定期券を含む所定の定期券を発行可能とするステップと
を具備することを特徴とする定期券発行装置の制御方法。
【請求項８】
自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置の制御方法において、
予め、他社線着駅情報を登録する他社線着駅情報登録モードに設定するステップと、
前記他社線着駅情報登録モードの設定に応じて他社線着駅情報の登録画面を表示するステップと、
前記表示される他社線着駅情報登録画面に基づいて、他社線着駅を登録したい各釦に割り付けるステップと、
前記他社線着駅を登録したい各釦に割り付け後に、登録を実行するステップと、
前記登録実行後に、前記他社線着駅情報登録モードの設定を解除して前記連絡定期券を含む所定の定期券を発行可能とするステップとを具備し、
前記他社線着駅登録釦を割り付けるステップは、当該定期券発行装置の設置駅で発行する前記連絡定期券の着駅として使用頻度の高い他社線の着駅情報を着駅設定部の第１画面に表示するように設定可能とすることを特徴とする定期券発行装置の制御方法。
【手続補正２】
【補正対象書類名】明細書
【補正対象項目名】０００７
【補正方法】変更
【補正の内容】
【０００７】
【課題を解決するための手段】
本発明によると、上記課題を解決するために、自社線内の発駅と他社線内の着駅を指示する指示手段、この指示手段により指示された自社線内の発駅と他社線内の着駅までの区間の定期乗車を許可する連絡定期券を含む所定の定期券を発行する発行手段を有して構成されている定期券発行装置において、予め、他社線着駅情報を登録する他社線着駅情報登録モードに設定する他社線着駅情報登録モード設定手段と、前記他社線着駅情報登録モード設定手段による他社線着駅情報登録モードの設定に応じて他社線着駅情報の登録画面を表示する他社線着駅情報登録画面表示手段と、前記他社線着駅情報登録画面表示手段によって表示される他社線着駅情報登録画面に基づいて、他社線着駅を登録したい各釦に所望の形態で割り付ける他社線着駅登録釦割り付け手段と、前記他社線着駅登録釦割り付け手段による他社線着駅を登録したい各釦に割り付け後に、登録を実行する登録実行手段と、前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備することを特徴とする定期券発行装置が提供される。
【手続補正３】
【補正対象書類名】明細書
【補正対象項目名】０００８
【補正方法】変更
【補正の内容】
【０００８】
また、本発明によると、上記課題を解決するために、自社線内の発駅と他社線内の着駅を指示する指示手段、この指示手段により指示された自社線内の発駅と他社線内の着駅までの区間の定期乗車を許可する連絡定期券を含む所定の定期券を発行する発行手段を有して構成されている定期券発行装置において、予め、他社線着駅情報を登録する他社線着駅情報登録モードに設定する他社線着駅情報登録モード設定手段と、前記他社線着駅情報登録モード設定手段による他社線着駅情報登録モードの設定に応じて他社線着駅情報の登録画面を表示する他社線着駅情報登録画面表示手段と、前記他社線着駅情報登録画面表示手段によって表示される他社線着駅情報登録画面に基づいて、他社線着駅を登録したい各釦に割り付ける他社線着駅登録釦割り付け手段と、前記他社線着駅登録釦割り付け手段による他社線着駅を登録したい各釦に割り付け後に、登録を実行する登録実行手段と、前記登録実行手段による登録実行後に、前記他社線着駅情報登録モード設定手段による他社線着駅情報登録モードの設定を解除して前記連絡定期券を含む所定の定期券を発行可能とする他社線着駅情報登録モード設定解除手段とを具備し、前記他社線着駅登録釦割り付け手段は、当該定期券発行装置の設置駅で発行する前記連絡定期券の着駅として使用頻度の高い他社線の着駅情報を着駅設定部の第１画面に表示するように設定可能とすることを特徴とする定期券発行装置が提供される。
【手続補正４】
【補正対象書類名】明細書
【補正対象項目名】００１３
【補正方法】変更
【補正の内容】
【００１３】
また、本発明によると、上記課題を解決するために、自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置の制御方法において、予め、他社線着駅情報を登録する他社線着駅情報登録モードに設定するステップと、前記他社線着駅情報登録モードの設定に応じて他社線着駅情報の登録画面を表示するステップと、前記表示される他社線着駅情報登録画面に基づいて、他社線着駅を登録したい各釦に所望の形態で割り付けるステップと、前記他社線着駅を登録したい各釦に割り付け後に、登録を実行するステップと、前記登録実行後に、前記他社線着駅情報登録モードの設定を解除して前記連絡定期券を含む所定の定期券を発行可能とするステップとを具備することを特徴とする定期券発行装置の制御方法が提供される。
【手続補正５】
【補正対象書類名】明細書
【補正対象項目名】００１４
【補正方法】変更
【補正の内容】
【００１４】
また、本発明によると、上記課題を解決するために、自社線内の発駅と他社線内の着駅を指示する指示手段、この指示手段により指示された自社線内の発駅と他社線内の着駅までの区間の定期乗車とを許可する連絡定期券を含む所定の定期券を発行する発行手段とから構成されている定期券発行装置の制御方法において、予め、他社線着駅情報を登録する他社線着駅情報登録モードに設定するステップと、前記他社線着駅情報登録モードの設定に応じて他社線着駅情報の登録画面を表示するステップと、前記表示される他社線着駅情報登録画面に基づいて、他社線着駅を登録したい各釦に割り付けるステップと、前記他社線着駅を登録したい各釦に割り付け後に、登録を実行するステップと、前記登録実行後に、前記他社線着駅情報登録モードの設定を解除して前記連絡定期券を含む所定の定期券を発行可能とするステップとを具備し、前記他社線着駅登録釦を割り付けるステップは、当該定期券発行装置の設置駅で発行する前記連絡定期券の着駅として使用頻度の高い他社線の着駅情報を着駅設定部の第１画面に表示するように設定可能とすることを特徴とする定期券発行装置の制御方法が提供される。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】